(57)【特許請求の範囲】
【請求項１】
正面パネルの前面に備えた第一貨幣挿入口及び第二貨幣挿入口と、
貨幣を搬送し後面より排出させる単一の貨幣搬送路と、
第一貨幣挿入口及び第二貨幣挿入口付近に備えた貨幣挿入検出センサーと、
貨幣搬送路に面して貨幣を識別する貨幣識別センサー等から成る貨幣識別手段と、
第一貨幣挿入口及び第二貨幣挿入口の合流部から貨幣搬送路に向けて設けた薄板状の貨幣ガイド部材と、
から構成された貨幣識別装置において、
前記貨幣ガイド部材により、第一貨幣挿入口及び第二貨幣挿入口の合流部から貨幣搬送路内に第一誘導路及び第二誘導路を形成すると共に、
第一貨幣挿入口に第一誘導路が、第二貨幣挿入口に第二誘導路がそれぞれ連なって接続され、
当該貨幣ガイド部材は、第一貨幣挿入口及び第二貨幣挿入口の合流部から貨幣搬送路内の貨幣識別センサーの設置位置を越えた辺長を有したことを特徴とする貨幣識別装置。
【発明の詳細な説明】
【０００１】
【発明の属する技術分野】
本発明は、例えば遊技店内に配置された遊技台の中央（台間）に設置される遊技媒体貸出機又はその遊技媒体貸出機に設けた貨幣識別装置に関する。
【０００２】
【従来の技術】
通常、遊技店の各遊技島には遊技台に隣接して遊技媒体貸出機が配置されている。上記遊技媒体貸出機は、貨幣を投入して貸出すものや磁気カード等の記憶媒体を投入して貸出すものが提供されている。
また、上記した遊技媒体貸出機は、左右いずれか一方の遊技台に対して専用（各遊技台毎）となっているために、限られた遊技島のスペースに遊技台と遊技媒体貸出機とを交互に配設した場合には、遊技客は専用の遊技媒体貸出機となるので貸出し操作が容易になる反面、遊技店にとっては遊技媒体貸出機が遊技台毎に配置されるため、必然的に遊技台そのものの設置台数が減り１店舗当たりの売り上げ効率が抑制される問題があった。
【０００３】
そこで、上記問題を解決しようとした遊技媒体貸出機（玉貸機）が例えば、実開平３−１２２８８８号公報（以下、先行技術１という）にて開示されている。
該先行技術１の玉貸機の構成を記すれば、正面パネルの上下に、それぞれ左右の遊技台に対応した貨幣挿入口を備え、上下のいずれかの貨幣挿入口に貨幣が挿入された場合に、対応する遊技台に遊技媒体をノズルから払出すように成している。
【０００４】
また、上記の先行技術１においては、貨幣挿入口を上下に設けたものであるが、遊技媒体貸出機に左右２つの貨幣挿入口を備えた貨幣識別機を配設し、それぞれの貨幣挿入口を左右の遊技台に対応させて、貨幣が挿入された側の遊技台に遊技媒体を払出すようにした台間玉貸機の貨幣識別機が、特許第２９６６１９１（以下、先行技術２という）及び特公平６−７７６２８（以下、先行技術３という）にて開示されている。
【０００５】
【発明が解決しようとする課題】
しかしながら、上記先行技術１の玉貸機は、実質的に左右の遊技台専用の貨幣識別機を２台分個別に設置しなくてはならず、玉貸機そのものの製品コストがアップしてしまったり、貨幣識別機の故障やトラブルも２台分、招く恐れがあった。
【０００６】
また、上記先行技術２又は先行技術３に開示されている台間玉貸機の貨幣識別機は、左右の貨幣挿入口と単一の貨幣搬送路とを連通させる左右の誘導路の切替手段に係るものであり、左右のいずれかの貨幣挿入口に貨幣が挿入された場合に、対応する誘導路を選択的に貨幣搬送路と連通さ、他方を遮断するようにしたものである。上記、誘導路切替手段はアクチュエータやフラッパー等のメカニカルなものであるために、長年の使用で疲弊し故障の原因（要因）となる課題を有していた。
本発明は、上記課題を解決するためになされたものであり、低コストで信頼性の高い貨幣識別装置及びその装置を利用した遊技媒体貸出機の提供を目的としている。
【０００７】
【課題を解決するための手段】
上記、目的を達成するために本発明の請求項１の貨幣識別装置は、正面パネルの前面に備えた第一貨幣挿入口及び第二貨幣挿入口と、貨幣を搬送し後面より排出させる単一の貨幣搬送路と、第一貨幣挿入口及び第二貨幣挿入口付近に備えた貨幣挿入検出センサーと、貨幣搬送路に面して貨幣を識別する貨幣識別センサー等から成る貨幣識別手段と、第一貨幣挿入口及び第二貨幣挿入口の合流部から貨幣搬送路に向けて設けた薄板状の貨幣ガイド部材と、から構成された貨幣識別装置において、前記貨幣ガイド部材により、第一貨幣挿入口及び第二貨幣挿入口の合流部から貨幣搬送路内に第一誘導路及び第二誘導路を形成すると共に、第一貨幣挿入口に第一誘導路が、第二貨幣挿入口に第二誘導路がそれぞれ連なって接続され、当該貨幣ガイド部材は、第一貨幣挿入口及び第二貨幣挿入口の合流部から貨幣搬送路内の貨幣識別センサーの設置位置を越えた辺長を有したことにより、達成される。
【００１２】
【発明の実施の形態】
以下、本発明の一実施形態を各図を参照して詳細に説明する。
図１は、本発明の遊技媒体貸出機の概略斜視図である。図２は、貨幣識別手段の正面図である。図３は、図２におけるＸ−Ｘ矢視図であり、図４は同じくＹ−Ｙ矢視図であり、図５は同じくＺ−Ｚ矢視図である。図６は、遊技媒体払出手段の内部の概略構成を示した側面図である。図７は、本発明の遊技媒体貸出機を遊技島に設置した態様を示した概略斜視図である。
【００１３】
始めに遊技媒体貸出機１の構成について説明する。尚、該遊技媒体貸出機１は、ここではメダルを貸出すメダル貸出機を実施形態として説明するが、パチンコ玉を貸出す貨幣搬送装置付のパチンコ貸出機でも良い。
【００１４】
先ず、図１に示すように遊技媒体貸出機１は、遊技媒体払出手段２を備えた長方形状から成る本体部と、その本体部の上部に別体から成る矩形状の貨幣識別手段３とから大別され構成している。
該本体部（遊技媒体払出手段２）の下部には、排出された遊技媒体（例えば、メダル）を一時貯留する第一受皿４と、第二受皿５とを上下に分けて個別に備えられている。
【００１５】
第一受皿４は、左側に座った遊技客に排出された遊技媒体を一時貯留するためのものであり、第二受皿５は、右側に座った遊技客に排出された遊技媒体を一時貯留するためのものである。何れの第一受皿４及び第二受皿５も例えば樹脂等で形成され、略コップ形状から成していて、後述する貨幣識別手段の第一貨幣挿入口７及び第二貨幣挿入口８に挿入される貨幣によって何れか一方側に排出される。
尚、それぞれの第一受皿４及び第二受皿５は、隣の遊技客が間違って他人の遊技媒体を取られないように、対応する遊技台とは反対側の受皿の側面を高くした壁の作用と成す仕切り部材４ａ、５ａが設けられている。
【００１６】
次に、本体部の上部に設けた貨幣識別手段（貨幣識別装置）３について説明する。例えば、貨幣識別手段３は水平状から成る天板３５に遊技媒体貸出機の本体部とは切り離して同位置に取付けられている。
図２に示すように貨幣識別手段３は、矩形状から成り前面の正面パネル６に第一貨幣挿入口（左側貨幣挿入口）７と、第二貨幣挿入口（右側貨幣挿入口）８を備えている。該第一貨幣挿入口７及び第二貨幣挿入口８は、その高さがそれぞれ貨幣の幅を許容するように形成され、入口付近は扇状に拡がっている形状から成している。尚、ここでの第一貨幣挿入口（左側貨幣挿入口）７と、第二貨幣挿入口（右側貨幣挿入口）８は左右側配列としたが、図示しない上下側配列としても良い。例えば、第一貨幣挿入口（上側貨幣挿入口）とし、第二貨幣挿入口（下側貨幣挿入口）とした配列としても良い。
【００１７】
また、該第一貨幣挿入口７及び第二貨幣挿入口８の壁面には貨幣が挿入されたことを検知する第一貨幣挿入検出センサー９及び第二貨幣挿入検出センサー１０が備えられている。該第一貨幣挿入検出センサー９及び第二貨幣挿入検出センサー１０での検出信号によって、何れかで挿入されたことを検出すると共に、例えば、第一貨幣挿入検出センサー９で検出されると左側の遊技客での売上出力を図示しないホールコンピュータに出力する。
【００１８】
次に、図３乃至図５を参照して貨幣識別手段（貨幣識別装置）３の内部の概略構成を詳細に説明する。
図３に示すように、貨幣識別手段３は前端部（前）に第一誘導路（左側）１１及び第二誘導路（右側）１２と、該第一誘導路１１と第二誘導路１２とを仕切る貨幣ガイド部材である貨幣ガイド板１３と、単一の貨幣搬送路１４とを有し、上記第一誘導路１１と第二誘導路１２は第一貨幣挿入口７及び第二貨幣挿入口８と、単一貨幣搬送路１４とを連通させている。さらに、貨幣搬送路１４はその後端部（後）に貨幣排出口１５を備え、後述する貨幣搬送装置３６に連通している。
【００１９】
貨幣ガイド部材である貨幣ガイド板１３は、第一貨幣挿入口７及び第二貨幣挿入口８の合流部Ｐから貨幣搬送路１４の奥に向かって延在し、その末端は後述する貨幣識別センサー１７の近傍部付近、好ましくはそのやや後方に位置するように形成されている。例えば、図３に示すように貨幣識別センサー１７を略中央付近に設けた場合はその貨幣識別センサー１７の近傍部付近までの長さ（貨幣の長手方向の長さ分より若干長め）と成っている。このように、貨幣ガイド板１３が貨幣識別センサー１７近傍部まで延在して備えられていることにより、貨幣を返却する際に、貨幣ガイド板１３に沿って貨幣が戻るので途中で引っかかり貨幣詰まりする恐れがない。
尚、貨幣ガイド板１３の形状や材質等については後述する。
【００２０】
次に、貨幣の検出手段（貨幣識別手段）について説明する。
第一貨幣挿入口７及び第二貨幣挿入口８付近の壁面に備えた第一貨幣挿入検出センサー９及び第二貨幣挿入検出センサー１０と、貨幣の挿入を検出して貨幣識別手段３を駆動させる貨幣識別手段駆動センサー１６と、貨幣の真偽を識別する貨幣識別センサー１７、及び磁気センサー１８と、図示しない制御部とで構成されている。
尚、第一貨幣挿入検出センサー９及び第二貨幣挿入検出センサー１０と、貨幣識別手段駆動センサー１６と、貨幣識別センサー１７は、それぞれ例えば発光素子と受光素子とにより構成された一対の光センサー等から成したものであり、何れか一方が発光素子で、他方が受光素子となる。
【００２１】
該貨幣搬送路１４の後方部には、貨幣の引抜防止片１９が回動自在にかつ貨幣搬送路１４の壁面に突出するように付勢されて設けられている。尚、図３においては、図面が煩雑となるのを避けるために、上記の各種センサーのみを示し、他の要素については省略されている。
【００２２】
図４には、貨幣識別手段３内部の一方の壁面に備えた主な要素が示されている。貨幣識別手段３の前端部であって、第一貨幣挿入口７及び第二貨幣挿入口８の壁面の上下には第一貨幣挿入検出センサー９及び第二貨幣挿入検出センサー１０を有し、貨幣搬送路１４の前方上端部には貨幣識別手段駆動センサー１６、中央部には貨幣識別センサー１７とを備えている。
【００２３】
また、プーリー２０、２１、２２に掛け渡した搬送用ベルト２３が２本、上下に平行して備えられている。さらに、プーリー２２に隣接してガイドローラー２４、中央付近には上下端に補助ローラー２５が備えられている。上記プーリー２０、２１、２２、ガイドローラー２４、補助ローラー２５及び搬送用ベルト２３は、壁面より僅かに貨幣搬送路１４側に突出している。
【００２４】
貨幣ガイド板１３には、搬送用ベルト２３に対応して長細形状のスリット２６が、また、補助ローラー２５に対応して長方形の窓２７が設けられている。貨幣ガイド板１３は薄板で構成されるが、柔らかいプラスチックフィルムが好適である。何故なら、柔らかいがために貨幣搬送路１４内にあって動きが自在となり、例えば、貨幣が一方の誘導路にある場合には他方の誘導路を自動的に遮断するため、誘導路に切替手段（例えば、従来のようなアクチュエータやフラッパー等）のメカニカル手段を備える必要がなくなる。
【００２５】
また、貨幣ガイド板１３が不透明な薄板である場合には、貨幣識別手段駆動センサー１６及び貨幣識別センサー１７に対応させて、光を通過させる窓が設けられる。
【００２６】
図５には、貨幣識別手段３本体内部の他方の壁面に備えた主な要素が示されている。図４に示すプーリー２０、２１及びガイドローラー２４に対応して６個の押圧ローラー２８が、また中央付近上下端部には貨幣の真偽を識別する磁気センサー１８が、壁面より僅かに貨幣搬送路１４側に突出して備えられている。
上記の押圧ローラー２８は、プーリー２０、２１及びガイドローラー２４とによって貨幣を挟持し、搬送用ベルト２３の駆動に従って貨幣を搬送する作用をする。
【００２７】
次に、本体部の内部中央付近に設けた遊技媒体を払出す遊技媒体払出手段２の構成について説明する。
図６に示すように、遊技媒体払出手段２の上方には、多数枚の遊技媒体を収納するための容器であるホッパー２９を有し、その下方には遊技媒体を所定数だけ計数して払出す駆動モータ（図示せず）にて回転する円盤状の媒体送出手段３０と、下方に図示しない制御部とを備え、該媒体送出手段３０に接続して払出される遊技媒体を第一受皿４及び第二受皿５に導く各通路３１を備えている。
【００２８】
該各通路３１は、その途中において分岐通路３１Ｌ（左客用）と、分岐通路３１Ｒ（右客用）とに分岐し、該分岐点Ｑには分岐通路３１Ｌと分岐通路３１Ｒとを選択する通路切替手段であるシャッター３２が備えられている。該シャッター３２は、貨幣が貨幣識別手段３の第一貨幣挿入口７及び第二貨幣挿入口８の何れかに挿入された場合、対応する分岐通路と通路３１とを連通させ、他方の分岐通路を遮断する作用（働き）をする。尚、上述したように本体部の遊技媒体払出手段２の下部には、第一受皿（左客用）４と、第二受皿（右客用）５を上下に配置（図６においては、上部が第一受皿（左客用）４であり、直下部が第二受皿（右客用）５を備えている。尚、第一受皿４及び第二受皿５は、それぞれ対応する分岐通路３１Ｌ、３１Ｒと連通している。
【００２９】
上記の第一受皿４及び第二受皿５は、上下に配置した形状と成しているが、これに限定されるものでなく、受皿を半分の位置に仕切り部材を設けて左右に均等とした形状であっても良い。
また、昨今の遊技店の遊技台（スロット台）の設置した遊技島は、最近、薄暗い照明と成しているため、左右の遊技客が間違いなく、さらに第一受皿４及び第二受皿５の位置を判り易くするため、視覚的表示手段（例えば、第一受皿４及び第二受皿５の外壁等の周辺に点灯、点滅する手段による発行表示手段）を備えても良い。
さらに、上記の発行表示手段による視覚的表示手段以外に着色（色別手段）による手段であっても良い。例えば、第一貨幣挿入口７と第一受皿４とを同色（青色）とし、第二貨幣挿入口８と第二受皿５とを同色（黄色）としたものであっても良い。
【００３０】
次に、本発明の遊技媒体貸出機１を遊技島に設置した形態について説明する。
図７の遊技島の概略斜視図に示すように、遊技媒体貸出機１は水平状から成る棚板３３上に複数台並べて配設された二台の遊技台３４の中央に設置される。その具体的配列は、１台の遊技台３４−遊技媒体貸出機１−２台の遊技台３４−遊技媒体貸出機１−２台の遊技台３４−遊技媒体貸出機１−１台の遊技台３４の態様となる。
即ち、２台の遊技台３４に対して１台の遊技媒体貸出機１の設置となるため、遊技台３４毎に隣接した位置に遊技媒体貸出機１本体を設ける必要がなくなるが、実質は遊技台毎に隣接した設備と同じ機能を有していることになる。
【００３１】
遊技台３４の上部には水平状から成る天板３５を備え、該天板３５の適宜箇所に貨幣識別手段３が設けられている。該貨幣識別手段３の後部に連通して貨幣搬送装置３６が一端から他端まで設置されている。、該貨幣搬送装置３６はその一端側には貨幣搬送装置３６にて搬送してきた貨幣を整列収納する貨幣収納装置３が設けられている。
【００３２】
このように設置された遊技島の形態において、例えば、遊技媒体貸出機１を挟んで左側の遊技台を選択した遊技客は、遊技媒体の貸出しを受けるために遊技媒体貸出機１の貨幣識別手段３の第一貨幣挿入口７（左客用）側に貨幣を挿入することと成る。貨幣が挿入され、該貨幣が真券と判定されると、所定数量の遊技媒体が第一受皿４（左客用）側に排出される。同時に、貨幣は貨幣搬送装置３６内を搬送していき貨幣収納装置３７内に収納される。尚、右側の遊技台を選択した遊技客においては、第二貨幣挿入口８（右客用）側に貨幣を挿入することと成る。貨幣が挿入され、該貨幣が真券と判定されると、所定数量の遊技媒体が第二受皿５（右客用）側に排出される。
【００３３】
次に、図８のフローチャート及び図９乃至図１２の動作タイミングチャートを参照して本発明の遊技媒体貸出機１の動作について説明する。
ここで、図９は正常時、図１０は使用された貨幣が真券ではない場合、図１１は第一貨幣挿入口７及び第二貨幣挿入口８に同時に貨幣が挿入された場合、図１２は第一貨幣挿入口７及び第二貨幣挿入口８に相前後して同時期に貨幣が挿入された場合の動作タイミングチャートである。
【００３４】
先ず、正常動作の場合について説明する。
貨幣（例えば、千円紙幣）が挿入されると、ＳＴ１で貨幣識別手段３の動作状態がチェックされる。ここで、貨幣識別手段３が初期状態、即ち、貨幣の挿入待ち受け状態であった場合（Ｙ）には、ＳＴ２に進み貨幣が挿入されたのは第一貨幣挿入口７か、第二貨幣挿入口８の何れか一方のみであるかどうかが判定される。判定は、貨幣挿入検出センサー９、１０によって行われる。ここでは、第一貨幣挿入口７（左客用）にのみ貨幣が挿入された場合を例に説明する。
【００３５】
この時、図９に示すように貨幣挿入検出センサー９のみがＯＮする。ＳＴ２においてＹ判定のときはＳＴ３に進んで、貨幣が貨幣識別手段駆動センサー１５を通過したことを検知して貨幣識別手段３がＯＮし、貨幣搬送用ベルト２３の正転がＯＮする（図９を参照）。
【００３６】
この場合、貨幣は貨幣搬送用ベルト２３によって搬送されて、貨幣識別手段３の奥に引き込まれる。この際、貨幣が貨幣搬送路１４の壁面側に突出している引抜防止片１９を押して、これに連動する貨幣の通過確認スイッチをＯＮする（ＳＴ４）（図９を参照）。
【００３７】
次に、貨幣識別センサー１６及び磁気センサー１８によって真券かどうかが判定される（ＳＴ５）。貨幣の真偽の判定は、貨幣識別センサー１６による貨幣の色印刷部の適・不適を、また磁気センサー１８による磁気印刷部の適・不適のチェックによって行われる。また、ここでいう貨幣の偽の意味は、偽貨幣のみを意味するものではなく、使い古されて識別不能な貨幣をも含まれる。
【００３８】
貨幣が真券と判定された場合には（Ｙ）、貨幣は貨幣搬送装置３６に引き込まれ、貨幣の末端が引抜防止片１９を通過し終えると引抜防止片１９がＯＦＦし（ＳＴ６）、真券パルス（売上パルス）が発せられ（ＳＴ７）、貨幣識別機３、貨幣搬送用ベルト２３、第一貨幣挿入識別センサー９がＯＦＦ（ＳＴ８）して一連の動作が終了する（図９を参照）。貨幣はそのまま貨幣搬送装置３６によって搬送され一端の貨幣収納装置３７内に収納される。
【００３９】
次に、ＳＴ５において貨幣が真券ではないと判定された場合について説明する。
この場合は、所定時間内に真券パルスが発せられない状態であり、この時は、ＳＴ５ではＮ判定となりＳＴ９に進んで図１０に示すように貨幣搬送用ベルト２３の反転をＯＮして貨幣を返却する（ＳＴ９）（図１０を参照）。
そして、引抜防止片１９がＯＦＦ（ＳＴ１０）した後、貨幣識別手段３、貨幣搬送用ベルト２３、第一貨幣挿入検出センサー９がＯＦＦ（ＳＴ１１）して一連の動作が終了する（図１０を参照）。
【００４０】
次に、ＳＴ２において第一貨幣挿入口７と第二貨幣挿入口８に同時に貨幣が挿入されたことを検出した場合について説明する。
この場合は、ＳＴ２ではＮ判定となりＳＴ１２に進んで図１１に示すように貨幣識別手段３がＯＮし、貨幣搬送用ベルト２３が反転をＯＮする。そして、両方の貨幣を返却した後、貨幣識別手段３、貨幣搬送用ベルト２３、第一貨幣挿入検出センサー９がＯＦＦ（ＳＴ１３）して一連の動作が終了する。この場合は、引抜防止片１９は作動せず、従って真券パルスも発せられることがない（図１１を参照）。
【００４１】
次に、ＳＴ１において第一貨幣挿入口７か、第二貨幣挿入口８の何れか一方にに既に貨幣が挿入されている場合について説明する。
この場合、図１２に示すように、貨幣識別手段３がＯＮし、貨幣搬送用ベルト２３が正転をＯＮして、先行の貨幣が識別処理状態にある。この時、貨幣が他方の第二貨幣挿入口８（ここでは右側）に挿入されると、第二貨幣挿入検出センサー１０がＯＮする。この場合、ＳＴ１ではＮ判定となりＳＴ１４に進んで貨幣搬送用ベルト２３の反転をＯＮして先の貨幣及び後の貨幣を返却する。
【００４２】
そして、引抜防止片１９がＯＦＦ（ＳＴ１５）した後、貨幣識別手段３、貨幣搬送用ベルト２３、第一貨幣挿入検出センサー９がＯＦＦ（ＳＴ１６）して一連の動作が終了する（図１２を参照）。
【００４３】
本発明においては、貨幣識別手段３の単一の貨幣搬送路１４と、第一貨幣挿入口７及び第二貨幣挿入口８とを、貨幣ガイド板１３で仕切って形成された第一誘導路１１及び第二誘導路１２でもって連通させているため、誘導路での切替手段（例えば、従来のようなアクチュエータやフラッパー等）のメカニカル手段は備えていない。それ故、誘導路を含む貨幣搬送路の構成が簡単となり、製品のコストアップを抑制することができる。また、メカニカルな誘導路の切替手段を備えていないために長年使用しても誘導路の切替手段に起因した故障の発生がなく、信頼性に優れるという特徴を有している。
【００４４】
また、本発明には上記したように誘導路の切替手段を備えていないために、第一貨幣挿入口７及び第二貨幣挿入口８に対して同時期に貨幣が挿入された場合の問題に対しては、第一貨幣挿入口７及び第二貨幣挿入口８の壁面に備えた第一貨幣挿入検出センサー９及び第二貨幣挿入検出センサー１０の何れか一方のみがＯＮしている時だけ、貨幣識別処理及び遊技媒体の貸出処理を行わせるようにし、第一貨幣挿入検出センサー９及び第二貨幣挿入検出センサー１０の双方がＯＮした場合には、双方の貨幣を返却するようにしているから、遊技媒体の払出処理におけるトラブルが発生する恐れがない。
【００４５】
さらに、貨幣ガイド板１３が貨幣識別センサー１７近傍部まで延在して備えられているため貨幣を返却する際に、貨幣ガイド板１３に沿って貨幣が戻るため途中で引っかかり貨幣詰りする恐れがない。
【００４６】
以上の実施形態の説明においては、遊技媒体貸出機の貨幣識別装置に挿入する貨幣を千円紙幣として説明したが、カードや硬貨であっても良いことは言うまでもない。
【００４７】
【発明の効果】
以上の説明で明らかなように、本発明の貨幣識別装置及びその装置を利用した遊技媒体貸出機によれば、貨幣識別手段が備える第一貨幣挿入口（左客用）及び第二貨幣挿入口（右客用）と、単一の貨幣搬送路とを連通させる第一誘導路及び第二誘導路を仕切る手段として、薄板の貨幣ガイド部材（貨幣ガイド板）を第一貨幣挿入口及び第二貨幣挿入口の合流部から貨幣搬送路の奥に向けて延在させて備えると共に、第一貨幣挿入口及び第二貨幣挿入口付近に備えた貨幣挿入識別センサー等により、何れか一方にのみ貨幣が挿入されたことを検知した時だけ貨幣の識別処理及び遊技媒体の貸出処理を行うようにし、同時期に第一貨幣挿入口及び第二貨幣挿入口の双方に貨幣が挿入された場合には、いずれの貨幣も返却するようにしたものであるので、第一貨幣挿入口及び第二貨幣挿入口を備えた貨幣識別手段であっても、左右の誘導路を切替えるメカニカルな誘導路の切替手段を備える必要がなくなる。
その結果、製品のコストアップを抑制することが出来ると共に、信頼性の高い遊技媒体貸出機を提供することが出来る効果を有している。
【図面の簡単な説明】
【図１】本発明の遊技媒体貸出機の概略斜視図である。
【図２】本発明に係る貨幣識別手段の正面図である。
【図３】図２におけるＸ−Ｘ矢視図である。
【図４】図２におけるＹ−Ｙ矢視図である。
【図５】図２におけるＺ−Ｚ矢視図である。
【図６】本発明に係る遊技媒体払出手段の内部の概略構成を示した側面図である。
【図７】本発明の遊技媒体貸出機の設置態様示した概略斜視図である。
【図８】本発明の遊技媒体貸出機の動作を説明するフローチャートである。
【図９】本発明の正常時の動作タイミングチャートである。
【図１０】本発明において使用された貨幣が真券ではない場合の動作タイミングチャートである。
【図１１】本発明において第一貨幣挿入口及び第二貨幣挿入口に同時に貨幣が挿入された場合の動作タイミングチャートである。
【図１２】本発明において第一貨幣挿入口及び第二貨幣挿入口に相前後して同時期に貨幣が挿入された場合の動作タイミングチャートである
【符号の説明】
１        遊技媒体貸出機
２        遊技媒体払出手段
３        貨幣識別手段（貨幣識別装置）
４        第一受皿（左客用）
５        第二受皿（右客用）
７        第一貨幣挿入口（左客用）
８        第二貨幣挿入口（右客用）
９        第一貨幣挿入検出センサー
１０        第二貨幣挿入検出センサー
１３        貨幣ガイド部材（貨幣ガイド板）
３０        遊技媒体送出手段
３２        シャッター（通路切替手段）
【図１】
0004685249.tif 000002
【図２】
0004685249.tif 000003
【図３】
0004685249.tif 000004
【図４】
0004685249.tif 000005
【図５】
0004685249.tif 000006
【図６】
0004685249.tif 000007
【図７】
0004685249.tif 000008
【図８】
0004685249.tif 000009
【図９】
0004685249.tif 000010
【図１０】
0004685249.tif 000011
【図１１】
0004685249.tif 000012
【図１２】
0004685249.tif 000013